(57)【要約】【課題】本発明の目的は、導光体から原稿に照射される光の照射効率の低下を抑制しつつ、狙い通りの配光を得ることができる導光装置、光源装置及び画像読み取り装置を提供することである。【解決手段】導光装置１は、導光体２０ａ，２０ｂ及び反射部材３０ａ，３０ｂを備えている。導光体２０ａ，２０ｂは、主走査方向Ｘに延在し、主走査方向Ｘの端部から光が入射している。さらに、導光体２０ａ，２０ｂは、端部から入射した光を紙面方向Ｚ１，Ｚ２に向かって出射している。反射部材３０ａ，３０ｂは、導光体２０ａ，２０ｂに沿って配置され、導光体２０ａ，２０ｂからの光を紙面方向Ｚ１，Ｚ２に向かって反射する。反射部材３０ａ，３０ｂの紙面方向Ｚ１，Ｚ２における幅Ｗ１，Ｗ２は、主走査方向Ｘの位置によって異なっている部分がある。【選択図】図２
2014195234.tif 000002
【特許請求の範囲】
【請求項１】
第１の方向に延在し、該第１の方向の端部から光が入射し、該第１の方向と直交する第２の方向に向かって該光を出射する導光体と、
前記導光体に沿って配置され、前記第２の方向に向かって該導光体からの光を反射する反射部材と、
を備え、
前記第１の方向の位置によって前記反射部材の前記第２の方向の幅が異なっている部分があること、
を特徴とする導光装置。
【請求項２】
前記幅は、前記第１の方向における前記反射部材の端部から前記第１の方向における中央部に向かうに従って、広がっていること、
を特徴とする請求項１に記載の導光装置。
【請求項３】
前記第２の方向に位置する前記反射部材の外縁は、曲線を成していること、
を特徴とする請求項１又は請求項２に記載の導光装置。
【請求項４】
前記反射部材における前記導光体からの光を反射する面は、前記第２の方向と平行であること、
を特徴とする請求項１乃至請求項３のいずれかに記載の導光装置。
【請求項５】
前記外縁は、直線により構成されていること、
を特徴とする請求項１又は請求項２に記載の導光装置。
【請求項６】
前記外縁は、波状を成していること、
を特徴とする請求項１又は請求項２に記載の導光装置。
【請求項７】
前記第１の方向の一端から光が入射し、
前記幅は、前記第１の方向において、前記反射部材の一端から他端に向かって広くなっていることを、
を特徴とする請求項１に記載の導光装置。
【請求項８】
前記反射部材は、前記第１の方向及び前記第２の方向に対して直交する第３の方向に位置する側板、並びに前記側板を結ぶ底板を有すること、
を特徴とする請求項１乃至請求項７のいずれかに記載の導光装置。
【請求項９】
請求項１乃至請求項８のいずれかに記載の導光装置と、
光源と、
備えることを特徴とする光源装置。
【請求項１０】
原稿から反射された光を撮像素子で受光することによって画像を読み取る画像読み取り装置であって、
請求項１乃至請求項８のいずれかに記載の導光装置、及び光源を有する光源装置を備えること、
を特徴とする画像読み取り装置。
【請求項１１】
前記導光装置は、前記第２の方向における前記反射部材の端部を支持する支持部材を有し、
前記撮像素子からの受光状況に基づいて、前記支持部材は、前記第２の方向に動くこと、
を特徴とする請求項１０に記載の画像読み取り装置。
【発明の詳細な説明】
【技術分野】
【０００１】
本発明は、導光装置、光源装置及び画像読み取り装置に関し、詳しくは、原稿画像からの反射光を光学的に読み取る画像読み取り装置、これに用いられる導光装置及び光源装置に関する。
【背景技術】
【０００２】
一般にスキャナと称されている画像読み取り装置は、主走査方向に延在する照明ユニットを含む読み取り系及び原稿などの読み取り対象物のいずれかを副走査方向に移動させ、原稿画像を２次元的に読み取っている。従来、この種の光源としては、蛍光灯が多く使用されていたが、近年では、省電力化のためにＬＥＤへ置き換える動きが進んでいる。しかし、ＬＥＤは、蛍光灯と異なり点光源である。従って、ＬＥＤを画像読み取り装置の光源として用いる場合には、スキャンに必要なライン状の配光を得るために、導光体と共に用いられることが一般的である。ただし、導光体を用いても、該導光体の加工精度等に起因して、光源付近から出射される光は強く、光源から遠い部分から出射される光は弱いという問題があった。つまり、導光体を用いて狙い通りの配光を得ることは困難であった。
【０００３】
以上のような問題に鑑みて、特許文献１に記載の画像読み取り装置では、導光体と原稿との間に、導光体からの光を遮光する遮光部を設けて、原稿に対して狙い通りの配光を得ることを可能としている。具体的には、導光体からの出射光量が多い部分、すなわち、光源付近に遮光部を設け、出射光量が少ない部分との調整を図っている。しかし、特許文献１に記載の画像読み取り装置では、導光体からの光を遮光してしまうため、原稿に対する照射効率が低下するという問題がある。
【先行技術文献】
【特許文献】
【０００４】
【特許文献１】特開２０００−１２５０８０号公報
【発明の概要】
【発明が解決しようとする課題】
【０００５】
本発明の目的は、導光体から原稿に照射される光の照射効率の低下を抑制しつつ、狙い通りの配光を得ることができる導光装置、光源装置及び画像読み取り装置を提供することである。
【課題を解決するための手段】
【０００６】
本発明の第１の形態に係る導光装置は、
第１の方向に延在し、該第１の方向の端部から光が入射し、該第１の方向と直交する第２の方向に向かって該光を出射する導光体と、
前記導光体に沿って配置され、前記第２の方向に向かって該導光体からの光を反射する反射部材と、
を備え、
前記第１の方向の位置によって前記反射部材の前記第２の方向の幅が異なっている部分があること、
を特徴とする。
【０００７】
本発明の第２の形態に係る光源装置は、
前記導光装置と、
光源と、
を備えること、
を特徴とする。
【０００８】
本発明の第３の形態に係る画像読み取り装置は、
原稿から反射された光を撮像素子で受光することによって画像を読み取る画像読み取り装置であって、
前記導光装置、及び光源を有する光源装置を備えること、
を特徴とする画像読み取り装置。
【０００９】
本発明では、反射部材により、導光体からの光を第２の方向へ反射し、原稿へ届く光の量を調節している。つまり、本発明では、光の遮光ではなく、反射により原稿へ届く光の量を調節しているので、導光体から原稿に照射される光の照射効率の低下を抑制することができる。また、第２の方向における反射部材の幅は、異なる部分がある。これにより、導光体から出射され、反射部材により反射される光量を、導光体の延在する方向において部分的に変えることができる。つまり、本発明では、反射部材の幅を部分的に変えることによって、原稿へ届く光の量を部分的に調節することが可能であり、狙い通りの配光を得ることができる。
【発明の効果】
【００１０】
本発明によれば、導光体から原稿に照射される光の照射効率の低下を抑制しつつ、狙い通りの配光を得ることができる。
【図面の簡単な説明】
【００１１】
【図１】一実施例である画像読み取り装置の内部の概略説明図である。
【図２】一実施例である光源装置の外観斜視図である。
【図３】一実施例である導光装置の断面図である。
【図４】一実施例である導光装置を主走査方向及び紙面方向に対して直交する方向から平面視たときの外観図である。
【図５】主走査方向における原稿上の各位置と照度との関係を示した図である。
【図６】副走査方向における原稿上の各位置と照度との関係を示した図である。
【図７】変形例である導光装置を主走査方向及び紙面方向に対して直交する方向から平面視たときの外観図である。
【図８】変形例である導光装置を主走査方向及び紙面方向に対して直交する方向から平面視たときの外観図である。
【図９】主走査方向における原稿上の各位置と照度との関係を示した図である。
【図１０】変形例である導光装置を主走査方向及び紙面方向に対して直交する方向から平面視たときの外観図である。
【図１１】変形例である導光装置を主走査方向及び紙面方向に対して直交する方向から平面視たときの外観図である。
【図１２】変形例である導光装置の断面図である。
【図１３】変形例である導光装置を主走査方向及び紙面方向に対して直交する方向から平面視たときの外観図である。
【図１４】変形例である導光装置の断面図である。
【図１５】反射部材の高さ調整に関する構成を示すブロック図である。
【発明を実施するための形態】
【００１２】
（導光装置、光源装置及び画像読み取り装置の構成、図１〜図６参照）
導光装置、光源装置及び画像読み取り装置の実施例について、添付図面を参照して説明する。
【００１３】
一実施例である画像読み取り装置１は、図１に示すように、光源装置２から照射された光を原稿台４０上に載置された原稿Ｄで反射させ、該反射光をミラー２２，２４，２５を介して結像レンズ２６に導き、さらに撮像素子２７で受光するようにしたものである。図１において、Ｘ軸方向は主走査方向であり、Ｙ軸方向は副走査方向である。
【００１４】
光源装置２は、図２に示すように、主走査方向Ｘ（第１の方向）に延在する導光装置３と、該導光装置３に含まれる導光体２０ａ，２０ｂの各両端部に配置されたＬＥＤの光源１５とを備えている。
【００１５】
導光装置３は、主走査方向Ｘに延在している導光体２０ａ、２０ｂ、及び各導光体２０ａ，２０ｂと平行に設けられた反射部材３０ａ，３０ｂを備えている。
【００１６】
導光体２０ａは、図３に示すように、被照射位置Ａに対して、副走査方向Ｙの上流側に位置し、導光体２０ｂは、下流側に位置している。そして、導光体２０ａ，２０ｂは、該導光体２０ａ，２０ｂそれぞれの両端部から入射した光を内部で拡散させ、主走査方向Ｘと直交する方向（第２の方向）に位置する被照射位置Ａに向かって光を出射している。具体的には、導光体２０ａ，２０ｂは、透明樹脂により作製されている。これにより、導光体２０ａ，２０ｂの両端部から入射した光は、導光体２０ａ，２０ｂと周囲の空気層との界面により全反射を繰り返しながら、導光体２０ａ，２０ｂの中央に向かって進行する。更に、導光体２０ａ，２０ｂの底面には、白色板が貼り付けられることにより反射部が設けられている。これにより、導光体２０ａ，２０ｂ中を全反射を繰り返しながら進行する光は、反射部により反射され、導光体２０ａ，２０ｂ外へと出射される。導光体２０ａは、導光体２０ａの中心と被照射位置Ａとを結ぶ方向である紙面方向Ｚ１に向かって光を照射し、導光体２０ｂは、導光体２０ｂの中心と被照射位置Ａとを結ぶ方向である紙面方向Ｚ２に向かって光を照射している。
【００１７】
反射部材３０ａは、導光体２０ａから出射された光の内、紙面方向Ｚ１から外れた光を反射し、該光を原稿Ｄに向けて照射する部材である。また、反射部材３０ｂは、導光体２０ｂから出射された光の内、紙面方向Ｚ２から外れた光を反射し、該光を原稿Ｄに向けて照射する部材である。両反射部材３０ａ，３０ｂはそれぞれ、導光体２０ａ，２０ｂに沿って主走査方向Ｘに延在し、図３に示すように、その断面形状はともに、コの字状を成している。ただし、反射部材３０ａの断面形状は、紙面方向Ｚ１に開口部を有するコの字状を成しており、該コの字の内部に導光体２０ａが収まっている。反射部材３０ｂの断面形状は、紙面方向Ｚ２に開口部を有するコの字状を成しおり、該コの字の内部には、導光体２０ｂが収まっている。これにより、反射部材３０ａは、主走査方向Ｘ及び紙面方向Ｚ１に直交する直交方向α１において導光体２０ａと対向している。反射部材３０ｂは、主走査方向Ｘ及び紙面方向Ｚ２に直交する直交方向α２において導光体２０ｂと対向している。また、図４に示すように、反射部材３０ａ，３０ｂの紙面方向Ｚ１、Ｚ２の幅Ｗ１，Ｗ２は、主走査方向Ｘにおける両端部から中央部に向かうに従って、広がっている。これにより、導光体２０ａ，２０ｂの中央部付近では、光源１５が設けられた端部に比べ多くの光が、原稿Ｄに向けて反射される。さらに、両反射部材３０ａ，３０ｂの紙面方向Ｚ１，Ｚ２に位置する外縁Ｅは、曲線状を成している。
【００１８】
（効果）
画像読み取り装置１、光源装置２及び導光装置３によれば、導光体２０ａ，２０ｂから原稿Ｄに照射される光の照射効率の低下を抑制しつつ、狙い通りの配光を得ることができる。具体的には、反射部材３０ａ，３０ｂにより、導光体２０ａ，２０ｂからの光を紙面方向Ｚ１，Ｚ２（第２の方向）へ反射し、原稿Ｄへ届く光の量を調節している。つまり、画像読み取り装置１、光源装置２及び導光装置３では、光の遮光ではなく、反射により、原稿へ届く光の量を調節しているので、導光体２０ａ，２０ｂから原稿Ｄに照射される光の照射効率の低下を抑制することができる。
【００１９】
また、反射部材３０ａ，３０ｂの幅Ｗ１，Ｗ２は、主走査方向Ｘにおける端部から中央部に向かうに従って広がっている。これにより、導光体２０ａ，２０ｂにおいて、出射される光が弱い中央部では、反射部材３０ａ，３０ｂによって反射される光の量は多くなる。一方、出射される光が強い両端部では、反射部材３０ａ，３０ｂによって反射される光の量は少ない。つまり、画像読み取り装置１、光源装置２及び導光装置３では、反射部材３０ａ，３０ｂの幅Ｗ１，Ｗ２を部分的に変えることによって、原稿Ｄへ届く光の量を部分的に調節することが可能であり、狙い通りの配光を得ることができる。
【００２０】
上述の効果は、導光体２０ａ，２０ｂが押し出し成型によって作製される場合に有利である。具体的には、導光体２０ａ，２０ｂを押し出し成型によって作製すると、導光体の形状は、主走査方向Ｘ（押し出し方向）において一律になる。そのため、導光体２０ａ，２０ｂの反射部の反射率も、主走査方向Ｘにおいて一律になる。そうすると、光源１５に近い導光体２０ａ，２０ｂそれぞれの端部から出射される光の量が、光源１５から遠い中央部から出射される光の量と比べ極端に多くなり、結果として、図５に示すように、原稿Ｄに対して照射される光の照度Ｒ１が、狙いとする照度Ｉから大きく外れてしまう。しかし、画像読み取り装置１、光源装置２及び導光装置３では、反射部材３０ａ，３０ｂによって、原稿Ｄに照射される光の量を調節できるため、原稿Ｄに照射される光の照度Ｒ１を狙いとする照度Ｉに近づけることができる。
【００２１】
ところで、反射部材３０ａ，３０ｂは、導光体２０ａ，２０ｂから出射された光のうち、紙面方向Ｚ１，Ｚ２から外れた光を反射し、これらの光が、原稿Ｄに照射される。つまり、反射部材３０ａ，３０ｂは、導光体２０ａ，２０ｂからの光を集光する役割を果たしている。従って、図６に示すように、導光装置３が反射部材３０ａ，３０ｂを備えている場合の照度Ｒ２は、反射部材３０ａ，３０ｂを備えていない場合の照度Ｒ３と比較して、大きくなる。結果として、画像読み取り装置１、光源装置２及び導光装置３では、良好な照度を得ることができる。
【００２２】
（第１変形例、図７参照）
第１変形例である画像読み取り装置１Ａ、光源装置２Ａ及び導光装置３Ａでは、図７に示すように、反射部材３０ａ，３０ｂの外縁Ｅが、直線により構成されており、他の構成は、前記実施例と同様である。従って、第１変形例において反射部材３０ａ，３０ｂ以外の説明は、前記実施例での説明のとおりである。なお、画像読み取り装置１Ａについては、図１を援用する。
【００２３】
（第２変形例、図８、図９参照）
第２変形例である画像読み取り装置１Ｂ、光源装置２Ｂ及び導光装置３Ｂでは、図８に示すように、反射部材３０ａ，３０ｂの外縁Ｅが、矩形波状を成しており、他の構成は、前記実施例と同様である。従って、第２変形例において反射部材３０ａ，３０ｂ以外の説明は、前記実施例での説明のとおりである。なお、画像読み取り装置１Ｂについては、図１を援用する。
【００２４】
以上のように構成された画像読み取り装置１Ｂ、光源装置２Ｂ及び導光装置３Ｂは、射出成型によって導光体２０ａ，２０ｂが作製された際に、原稿Ｄに対して狙い通りの配光を得ることができる。具体的には、導光体２０ａ，２０ｂを射出成型によって作製すると、導光体２０ａ，２０ｂから出射される光の量が、主走査方向Ｘにおいて、増減を繰り返す。結果として、図９に示すように、原稿Ｄに対して照射される光の照度Ｒ４が、狙いとする照度Ｉから外れてしまう。
【００２５】
しかし、画像読み取り装置１Ｂ、光源装置２Ｂ及び導光装置３Ｂでは、反射部材３０ａ，３０ｂの外縁Ｅが矩形波状を成している。具体的には、原稿Ｄに照射される光の照度Ｒ４が狙いとする照度Ｉよりも高い部分の幅Ｗ１，Ｗ２が残余の部分の幅Ｗ１，Ｗ２よりも狭くなっている。このように、反射部材３０ａ，３０ｂは、主走査方向Ｘ及び紙面方向Ｚ１，Ｚ２に直交する直交方向α１，α２において導光体２０ａ，２０ｂの主走査方向Ｘにおける一部の領域と対向していてもよい。このような反射部材３０ａ，３０ｂによれば、導光体２０ａ，２０ｂから出射される光の増減に合わせて、導光体２０ａ，２０ｂから出射され，反射される光の量を調整できる。これにより、画像読み取り装置１Ｂ、光源装置２Ｂ及び導光装置３Ｂは、射出成型によって導光体２０ａ，２０ｂが作製された際に、原稿Ｄに対して狙い通りの配光を得ることができる。
【００２６】
（第３変形例、図１０参照）
第３変形例である画像読み取り装置１Ｃ、光源装置２Ｃ及び導光装置３Ｃでは、図１０に示すように、導光体２０ａ，２０ｂそれぞれの一端のみに光源１５が設けられている。また、反射部材３０ａ，３０ｂの幅Ｗ１，Ｗ２は、主走査方向Ｘにおける一端から他端に向かうに従って、広がっている。画像読み取り装置１Ｃ、光源装置２Ｃ及び導光装置３Ｃにおける他の構成は、前記実施例と同様である。従って、第３変形例において反射部材３０ａ，３０ｂ以外の説明は、前記実施例での説明のとおりである。なお、画像読み取り装置１Ｃについては、図１を援用する。
【００２７】
以上のように構成された画像読み取り装置１Ｃ、光源装置２Ｃ及び導光装置３Ｃでは、光源１５が導光体２０ａ，２０ｂそれぞれの一端のみに設けられている。従って、導光体２０ａ，２０ｂにおいて、光源１５が設けられた一端付近から出射される光の量が多く、一端から他端に向かうに従って出射される光の量が少なくなる。
【００２８】
しかし、画像読み取り装置１Ｃ、光源装置２Ｃ及び導光装置３Ｃでは、一端から他端に向かうに従って、反射部材３０ａ，３０ｂの幅Ｗ１，Ｗ２は広がっている。これにより、出射される光の量が多い一端付近で反射される光量を減らし、出射される光量が少ない他端付近で反射される光量を増やしている。つまり、画像読み取り装置１Ｃ、光源装置２Ｃ及び導光装置３Ｃでは、導光体２０ａ，２０ｂそれぞれの一端にのみ光源１５が設けられている場合に、導光体２０ａ，２０ｂから原稿Ｄに照射される光の照射効率の低下を抑制しつつ、狙い通りの配光を得ることができる。
【００２９】
（第４変形例、図１１、図１２参照）
第４変形例である画像読み取り装置１Ｄ、光源装置２Ｄ及び導光装置３Ｄでは、図１１に示すように、反射部材３０ａ，３０ｂそれぞれが分割されている。具体的には、図１２に示すように、反射部材３０ａは、主走査方向Ｘ及び紙面方向Ｚ１に直交する直交方向α１（第３の方向）に位置する２つの側板３２ａ，３４ａと、これらの側板を結ぶ底板３６ａに分割されており、反射部材３０ｂは、主走査方向Ｘ及び紙面方向Ｚ１に直交する直交方向α２（第３の方向）に位置する２つの側板３２ｂ，３４ｂと、これらの側板を結ぶ底板３６ｂに分割されている。他の構成は、前記実施例と同様である。従って、第４変形例において反射部材３０ａ，３０ｂ以外の説明は、前記実施例での説明のとおりである。なお、画像読み取り装置１Ｄについては、図１を援用する。
【００３０】
以上のように構成された画像読み取り装置１Ｄ、光源装置２Ｄ及び導光装置３Ｄでは、反射部材３０ａ，３０ｂが、側板３２ａ，３２ｂ，３４ａ，３４ｂ及び底板３６ａ，３６ｂに分割されているため、反射部材３０ａ，３０ｂそれぞれについて部分的な交換が可能である。従って、画像読み取り装置１Ｄ、光源装置２Ｄ及び導光装置３Ｄでは、導光体２０ａ，２０ｂが出射する光の配光状態に基づいて、例えば、側板３２ａのみ変更するなどの対応が可能であり、さらに狙い通りの配光を得ることができる。
【００３１】
（第５変形例、図１３〜図１５参照）
第５変形例である画像読み取り装置１Ｅ、光源装置２Ｅ及び導光装置３Ｅでは、図１３に示すように、反射部材３０ａ，３０ｂそれぞれがさらに分割されている。具体的には、図１３に示すように、側板３２ａ，３４ａは、主走査方向Ｘにおいて、複数枚の側板３２ａ１〜３２ａ５，３４ａ１〜３４ａ５に分割されている。また、側板３２ｂ，３４ｂは、主走査方向Ｘにおいて、複数枚の側板３２ｂ１〜３２ｂ５，３４ｂ１〜３４ｂ５に分割されている。さらに、図１４に示すように、底板３６ａ，３６ｂには、これを貫通し、各側板３２ａ１〜３２ａ５，３２ｂ１〜３２ｂ５，３４ａ１〜３４ａ５，３４ｂ１〜３４ｂ５の底部と接するボルトＶが埋め込まれている。ボルト（支持部材）Ｖは、図示しないモーターと接続され、モーターは、図示しない制御部によって駆動される。そして、該制御部は、図１５に示すように、撮像素子２７の受光状況に基づいて、モーターを駆動する。この駆動により、側板３２ａ１〜３２ａ５，３２ｂ１〜３２ｂ５，３４ａ１〜３４ａ５，３４ｂ５〜３４ｂ５がボルトＶを介して、上下する。つまり、画像読み取り装置１Ｅ、光源装置２Ｅ及び導光装置３Ｅでは、撮像素子２７の受光状況に基づいて、各側板３２ａ１〜３２ａ５，３２ｂ１〜３２ｂ５，３４ａ１〜３４ａ５，３４ｂ５〜３４ｂ５により反射する光の量を、個々に調節することが可能である。他の構成は、前記実施例と同様である。従って、第５変形例において反射部材３０ａ，３０ｂ以外の説明は、前記実施例での説明のとおりである。なお、画像読み取り装置１Ｅについては、図１を援用する。
【００３２】
以上のように構成された画像読み取り装置１Ｅ、光源装置２Ｅ及び導光装置３Ｅでは、撮像素子２７の受光状況に基づいて、各側板３２ａ１〜３２ａ５，３２ｂ１〜３２ｂ５，３４ａ１〜３４ａ５，３４ｂ５〜３４ｂ５により反射される光の量をそれぞれ調節することが可能であるため、最終的な受光状態に合わせた配光を得ることができる。
【００３３】
（他の実施例）
本発明に係る導光装置、光源装置及び画像読み取り装置は前記実施例に限定するものではなく、その要旨の範囲内で種々に変更することができる。特に、導光体、反射部材の細部の形状、配置状態などは任意である。例えば、反射部材の断面形状は、Ｖの字状やＵの字状等であってもよい。
【００３４】
また、反射部材３０ａ，３０ｂの形状は、前記一実施例及び第１変形例ないし第５変形例に示した形状に限らない。主走査方向Ｘの位置によって反射部材３０ａ，３０ｂの紙面方向Ｚ１，Ｚ２の幅Ｗ１，Ｗ２が異なっている、すなわち、反射部材３０ａ，３０ｂの紙面方向Ｚ１，Ｚ２の幅Ｗ１，Ｗ２が均一でなければよい。
【００３５】
さらに、反射部材３０ａ，３０ｂはそれぞれ、Ｌの字状の断面を有することにより、導光体２０ａ，２０ｂに対して直交方向α１，α２のいずれか一方にのみ設けられていてもよい。また、反射部材３０ａ、３０ｂは、主走査方向Ｘにおいて分割されていてもよい。
【産業上の利用可能性】
【００３６】
以上のように、本発明は、導光装置、光源装置及び画像読み取り装置に有用であり、特に、導光体から原稿に照射される光の照射効率の低下を抑制しつつ、狙い通りの配光を得ることができる点で優れている。
【符号の説明】
【００３７】
Ｄ  原稿
Ｅ  外縁
Ｖ  ボルト（支持部材）
Ｗ１，Ｗ２  幅
１，１Ａ〜１Ｅ  画像読み取り装置
２，２Ａ〜２Ｅ  光源装置
３，３Ａ〜３Ｅ  導光装置
２０ａ，２０ｂ  導光体
３０ａ，３０ｂ  反射部材
３２ａ，３２ａ１〜３２ａ５，３４ａ，３４ａ１〜３４ａ５  側板
３６ａ，３６ｂ  底板
【図１】
2014195234.tif 000003
【図２】
2014195234.tif 000004
【図３】
2014195234.tif 000005
【図４】
2014195234.tif 000006
【図５】
2014195234.tif 000007
【図６】
2014195234.tif 000008
【図７】
2014195234.tif 000009
【図８】
2014195234.tif 000010
【図９】
2014195234.tif 000011
【図１０】
2014195234.tif 000012
【図１１】
2014195234.tif 000013
【図１２】
2014195234.tif 000014
【図１３】
2014195234.tif 000015
【図１４】
2014195234.tif 000016
【図１５】
2014195234.tif 000017